(57)【要約】      （修正有）【課題】運搬時における化粧塗装層の損傷を防ぐことができて、しかもブロック塀構築現地にて容易に短時間で化粧ブロック塀を構築することができる化粧コンクリートブロックを提供する。【解決手段】化粧コンクリートブロック５は、素材コンクリートブロック１の側方表面上１Ｃに、下地調整塗材、密着塗材、装飾塗材及び被覆塗材が塗装されて形成された化粧塗装層２及びこの化粧塗装層２の上側に剥離可能に貼着された被覆材層４から構成される。【選択図】図１
0003166962.tif 000002
【実用新案登録請求の範囲】
【請求項１】
素材コンクリートブロックの側方表面上に、下地調整塗材、密着塗材、装飾塗材及び被覆塗材が塗装されて形成された化粧塗装層及び該化粧塗装層の上側に剥離可能に貼着された被覆材層から構成されたことを特徴とする化粧コンクリートブロック。
【請求項２】
請求項１において、前記装飾塗材の層が、ペースト状塗材が乾燥されて層状をなし、該層状表面に装飾が施されていることを特徴とする化粧コンクリートブロック。
【請求項３】
請求項１において、前記装飾塗材の層が、タイルと該タイルに接着される接着剤からなる接着剤層とからなることを特徴とする化粧コンクリートブロック。
【考案の詳細な説明】
【技術分野】
【０００１】
本考案は化粧コンクリートブロックに関する。
【背景技術】
【０００２】
従来、化粧コンクリートブロックとしては、コンクリートブロック設置現地において、複数のコンクリートブロック素体（以下、素材コンクリートブロックと称する。）を並べて土台の上に載置して積層し、これら積層したコンクリートブロックの側方面に塗装を施して側方面上に塗装層を形成するとともに各コンクリートブロック間の間隙である積層線でもある目地を埋める仕上処理を施してコンクリートブロック塀を完成させるものが知られている。また、近年では、コンクリートブロックの塗装材として化粧塗材を用い、意匠性のある美観を有する化粧コンクリートブロックを製造する方法が知られている。
【０００３】
上記のようなコンクリートブロックの製造方法としては、例えば特許文献１には、建築用コンクリートブロックを上下左右に積み重ねて構築される新設ブロック塀等の着色方法であって、ブロック塀の表面に下地壁面を形成し、この下地壁面を単色の塗料により塗装して下塗り面を形成し、この上からマスキングを介して色彩混合塗装により塗装して上塗り面を形成するブロック塀等の着色方法が記載されている。
【先行技術文献】
【特許文献】
【０００４】
【特許文献１】特開平１０−２２５６６０号公報
【考案の概要】
【考案が解決しようとする課題】
【０００５】
しかしながら、上記特許文献１に記載の方法では、コンクリートブロックの塗装面即ち側方面の塗装がブロック塀を構築する現地にてコンクリートブロックが積層された後に行われるため、現地環境によってはコンクリートブロックの塗装面即ち側方面の塗装が困難にある場合があった。
【０００６】
この対策として、素材コンクリートブロック製造地において予め側方面に塗装処理をしてから現地に運搬し、現地での側方面の塗装作業を省略することが考えられるが、この場合は塗装されたコンクリートブロックが運搬中に衝撃等によって側方面の塗装に傷がつく等の問題があった。
【０００７】
本考案の目的は、運搬時における化粧塗装層の損傷を防ぐことができて、しかもブロック塀構築現地にて容易に短時間で化粧ブロック塀を構築することができる化粧コンクリートブロックを提供することにある。
【課題を解決するための手段】
【０００８】
本考案の化粧コンクリートブロックは、素材コンクリートブロックの側方平面上に、下地調整塗材、密着塗材、装飾塗材及び被覆塗材が塗装されて形成された化粧塗装層及び該化粧塗装層の上側に剥離可能に貼着された被覆材層から構成されたことを特徴としている。
【０００９】
本考案の化粧コンクリートブロックは、また、前記装飾塗材の層が、ペースト状塗材が乾燥されて層状をなし、該層状表面に装飾が施されていることを特徴としている。
【００１０】
本考案の化粧コンクリートブロックは、また、前記装飾塗材の層が、タイルと該タイルに接着される接着剤からなる接着剤層とからなることを特徴としている。
【考案の効果】
【００１１】
本考案は、上述のように構成しているので、運搬時における化粧塗装層の損傷を防ぐことができて、しかもブロック塀構築現地にて容易に短時間で化粧ブロック塀を構築することができる化粧コンクリートブロックを提供することができる。
【図面の簡単な説明】
【００１２】
【図１】本考案の実施例の化粧コンクリートブロックの概略図。
【図２】本考案の実施例の適用例の化粧コンクリートブロックの概略図であり、（ａ）が一の適用例のもので、（ｂ）が別の適用例のものである。
【図３】図２の化粧コンクリートブロックの側方表面に形成された化粧塗装層を示す側面断面図であり、（ａ）は一の適用例のもので、（ｂ）は別の適用例のものである。
【図４】図２の化粧塗装層を平面から示す部分断面図であり、（ａ）は一の適用例のもので、（ｂ）は別の適用例のものである。
【考案を実施するための形態】
【００１３】
以下、本考案の実施例を図面に基づいて説明する。
【実施例】
【００１４】
図１は、本考案の実施例の化粧コンクリートブロックの概略図を示す。本考案の化粧コンクリートブロック５は、図１に示す如く、素材コンクリートブロック１の側方表面上１Ｃに、下地調整塗材２Ａ、密着塗材２Ｂ、装飾塗材２Ｃ及び被覆塗材２Ｄが塗装されて形成された化粧塗装層２及びこの化粧塗装層２の上側に剥離可能に貼着された被覆材層４から構成される。この本考案の化粧コンクリートブロック５について、以下詳述する。
【００１５】
素材コンクリートブロック１としては、空洞部１Ｂ、側方表面１Ｃ及び両端の溝部１Ｄが形成された方塊状のコンクリート部１Ａからなり、工業製品として規格されているような建築、土木用のものが用いられる。
【００１６】
本考案のコンクリートブロック５は、この素材コンクリートブロック１の側方全表面１Ｃに、下地調整塗材２Ａ、密着塗材２Ｂ、装飾塗材２Ｃ及び被覆塗材２Ｄが順次塗装されて化粧塗装が施されて化粧塗装層２が形成されている。
【００１７】
下地調整塗材２Ａとしては、フィラーと呼ばれる特殊合成樹脂製等からなる塗材等が用いられ、素材コンクリートブロック１の表面状態に応じて種々のものがあり、素材コンクリートブロック１の材質に応じて下地即ち側方表面１Ｃの調整を施し、塗膜即ち化粧塗装層２への下地からの悪影響を防ぎ、美観性と耐久性を兼ね備えた化粧塗装層２を得るような下地にする目的で用いられる。
【００１８】
密着塗材２Ｂとしては、プライマーと呼ばれる接着性の塗材等が用いられ、コンクリート１の側方表面１Ｃと装飾塗材２Ｃとを接着する目的で用いられる。また、この密着塗材２Ｂは、コンクリート１の側方表面１Ｃの防錆機能を併せ持っている。
【００１９】
装飾塗材２Ｃとしては、意匠性のある表面形状を形成することができる有色の塗材であり、コンクリート１の側方表面１Ｃの美観性を生成する目的で用いられるものであり、後述する化粧コンクリートの美観性を生成する塗材となる。
【００２０】
図２は、本考案の実施例の適用例の化粧コンクリートブロックの概略図を示す。上記の装飾塗材２Ｃは、例えば、図２（ａ）に示すように、ペースト状塗材２Ｃからなり、塗装された時に、表面に装飾が施されるものや、図２（ｂ）タイルとこのタイルに接着される接着剤とからなり、これらを塗装する時に、接着剤を付着してからタイルが付着されることで装飾塗材塗装がなされるものがある。
【００２１】
図３は、化粧コンクリートブロックの側方表面に形成された化粧塗装層を示す側面断面図であり、図４は、この化粧塗装層を平面から示す部分断面図である。ここで、上述の化粧塗装層２の形成において、装飾塗材２Ｃがペースト状塗材からなる塗材の場合の化粧コンクリートブロック６Ａの化粧塗装層２の断面は、図３（ａ）の側面図、図４（ａ）の平面図に示すように、化粧コンクリートブロック６Ａの側方表面１Ｃ上に順次下地調整塗材２Ａ、密着塗材２Ｂ、ペースト状の装飾塗材２Ｃ及び２Ｄによる層が順次形成されている。
【００２２】
また、上述の化粧塗装層２の形成において、装飾塗材２Ｃがタイル２Ｆとこのタイル２Ｆに接着される接着剤２Ｅとからなる塗材の場合の化粧コンクリートブロック６Ｂの断面は、図３（ｂ）の側面図、図４（ｂ）の平面図に示すように、化粧コンクリートブロック６Ａの側方表面１Ｃ上に順次下地調整塗材２Ａ、密着塗材２Ｂ、接着剤２Ｅ、タイル２Ｆ及び２Ｄによる層が順次形成されている。
【００２３】
尚、これら化粧塗装層２表面の面積は、コンクリートブロックの側方表面の面積とほぼ同一とし、他の化粧コンクリートブロックと並置若しくは積層してブロック塀を構築する際等に、各化粧塗装層２が干渉して他の化粧コンクリートブロックと並置若しくは積層の妨げにならないようにすることができる。
【００２４】
被覆塗材２Ｄとしては、トップコートと呼ばれるような仕上用塗材等が用いられ、コンクリート１の側方表面１Ｃの仕上処理をして、表面の保護や塗装表面の仕上処理をする目的で用いられる。
【００２５】
以上の塗材２Ａ、２Ｂ、２Ｃ、２Ｄによる塗装は、図示しない吹付塗装具、塗装ローラー、塗装こて、塗装はけ及びエアレス塗装機等の塗装器具により行われる。
【００２６】
尚、本考案においては、本考案の目的を逸脱しない範囲において、使用する塗材２Ａ、２Ｂ、２Ｃ、２Ｄの種類は限られない。
【００２７】
本考案の化粧コンクリートブロックは、この化粧コンクリートブロックの側方表面１Ｃに、図示しない接着剤が貼着された被覆層３が被覆、付着されて被覆材層４が形成される。この被覆層３としては、塩化ビニル等の被覆材の表面に接着剤が貼着されたものが用いられる。
【００２８】
このような被覆層３は、化粧コンクリートブロック５の側方表面１Ｃに接触されると、接着剤の接着能力により接着層３が化粧コンクリートブロック５の側方全表面１Ｃに被覆、付着されるものとなっている。尚、この被覆層３による接着によって化粧コンクリートブロックの化粧塗装層２の表面が傷付いたり変質したりすることはない。
【００２９】
以上のように、化粧コンクリートブロック５は、側方表面１Ｃ上に化粧塗装層２が形成され、更にこの化粧塗装層２を覆うように被覆材層４が形成されている。これにより、この化粧コンクリートブロック５は、運搬時に衝撃などが起きても被覆材層４により化粧塗装層２が保護されるので、化粧塗装層２が傷付くことを防止することができる。
【００３０】
以上のように、本考案の化粧コンクリートブロック５を用いて例えば現地で化粧ブロック塀を構築する場合は、化粧コンクリートブロック５から被覆材層４が剥離され、この被覆材層４が剥離された化粧コンクリート５が垂直方向に積層されて仮化粧ブロック塀が形成し、この仮化粧ブロック塀５０の化粧コンクリートブロック５の積層線に沿って、かつ近接して隣接する化粧コンクリートブロック５に図示しない汚れ防止テープを貼着し、積層線に沿って上記の隣接する化粧コンクリートブロック５間に介在する空隙に接着用モルタルをコーキング部材によって流し込んで隣接する化粧コンクリートブロックを接着一体化し、乾燥させ、乾燥後に汚れ防止テープを剥離することにより、容易に化粧ブロック塀を完成させることができる。
【００３１】
以上のように、本考案の予め塗装処理が施されている化粧ブロックコンクリート５を用いることにより、ブロック塀構築現地においての塗装作業が不要であるために、化粧ブロック塀の構築時間を著しく短縮することができる。
【００３２】
しかも、この化粧コンクリートブロック６Ａは、運搬中には側方表面１Ｃが被覆材層４によって保護されているために、現地において化粧塗装層２の美観を保ちつつ化粧ブロック塀の構築を行うことができる。
【００３３】
以上のように、本考案の化粧コンクリートブロックは、上述の如く構成したので、運搬時における化粧塗装層の損傷を防ぐことができて、しかもブロック塀構築現地にて容易に短時間で化粧ブロック塀を構築することができる化粧コンクリートブロックを提供することができる。
【００３４】
尚、素材コンクリートブロックは上述の本考案で説明するものに限られず、上述の効果が達成できる範囲内において、別の構成のものを適用することができる。また、化粧コンクリートブロックの化粧塗装層及び被覆材層は、化粧コンクリートブロックの両側方表面に形成してもよい。
【符号の説明】
【００３５】
１…素材コンクリートブロック、１Ｃ…側方表面、２…化粧塗装層、２Ａ…下地調整塗材、２Ｂ…密着塗材、２Ｃ…装飾塗材、２Ｄ…被覆塗材、２Ｅ…接着剤、２Ｆ…タイル、３…被覆材、４…被覆材層、５、６Ａ、６Ｂ…化粧コンクリートブロック。
【図１】
0003166962.tif 000003
【図２】
0003166962.tif 000004
【図３】
0003166962.tif 000005
【図４】
0003166962.tif 000006